(57)【要約】【課題】  押下げヘッドを含む作動部材と容器体口頸部とからのカバー筒の抜け出しを確実に防止することができ、かつ操作が容易な縦型ポンプ容器を提供する。【解決手段】作動部材30上端部から前方突出するノズル38を、下面開口で上面閉塞の縦溝44へ挿通させて装着筒14及び作動部材30上端部を長筒42で囲み、該長筒下端の内方張出し部56を口頸部の下部外面に付設した外向きフランジ10下面へ係合させるとともに、ノズル38下方の縦溝一方側部から弱化線を介し突設した止帯46先端を、縦溝他方側部へ離脱不能に固定させた。【選択図】  図２
2005313957.tif 000002
【特許請求の範囲】
【請求項１】
容器体口頸部８へ嵌合させた装着筒14を介して容器体２内へシリンダ20を垂下し、該シリンダ内から起立する作動部材30を付勢に抗し押し下げて該作動部材上部をシリンダ上端部へ固定させた縦型ポンプ容器において、
上記作動部材30上端部から前方突出するノズル38を、下面開口で上面閉塞の縦溝44へ挿通させて装着筒14及び作動部材30上端部を長筒42で囲み、該長筒下端の内方張出し部56を口頸部の下部外面に付設した外向きフランジ10へ係止させるとともに、ノズル38下方の縦溝一方側部から弱化線を介し突設した止帯46先端を、縦溝他方側部へ離脱不能に固定させたことを特徴とする、縦型ポンプ容器。
【請求項２】
上記長筒42を可撓性材料で形成するとともに、該長筒42上端に開口する天窓62と該天窓に接近する縦溝44上端部との間に破断部54を設け、かつ該破断部近傍の天窓62縁部に把手64を付設したことを特徴とする、請求項１記載の縦型ポンプ容器。
【請求項３】
上記破断部54の左右両側の天窓62縁部のうち任意に定める引手方向寄りの縁部分に上記把手64を付設するとともに、上記止帯46の左右両端部のうち上記引手方向寄り端部に上記弱化線48を形成させたことを特徴とする、請求項１又は請求項２記載の縦型ポンプ容器。
【請求項４】
上記止帯46を上記縦溝44の下端部の左右両側部分の間に架設するとともに、該縦溝44の下部44ｃから括れ44ｂ、44ｂを介して左右に広がる縦溝上部44a内に上記ノズル38を嵌め込みしたことを特徴とする、請求項１、請求項２、又は請求項３記載の縦型ポンプ容器。
【発明の詳細な説明】
【技術分野】
【０００１】
本発明は、縦型ポンプ容器、特に封緘（バーシンシール）機能を備えた押下げヘッド式の縦型ポンプ容器に関する。
【背景技術】
【０００２】
この種容器として、口頸部に螺合した装着筒より垂下するシリンダ内から起立するノズルヘッドを、付勢力に抗してシリンダ上部へ固定し、ノズルを挿通する下端開口の縦溝付きカバー筒の下部を上記シリンダ上端側に嵌合したものが存在するが、流通時に何者かが不正にカバー筒を外して液体を注出するなどの悪戯をする虞がある。
【０００３】
そこで容器の封緘機能を担保するため、上記ノズルに縦溝上部を挿通させて、該縦溝下部の左右側縁部の一方から弱化線を介して突出した止帯の他端部を、他方側縁部へ固着したもの（特許文献１）、及びカバー筒上面に天窓として該天窓前縁から縦溝上端まで形成した破断部の近傍に把手を付するとともに、上記縦溝を、溝下部から括れを経て大径丸形の溝上部を連設させて形成したもの（特許文献２）が提案されている。
【特許文献１】特開２００３−１６５５６２号
【特許文献２】実開平３−９０６５８号
【発明の開示】
【発明が解決しようとする課題】
【０００４】
上記特許文献１及び特許文献２の容器は、各弱化線乃至破断帯を破断しない限りカバー筒を押下げヘッドから外せないように設けているが、そもそも不正行為者が装着筒を容器体口頸部から外して中身を取り出そうとしたときにはこれを阻止できない。
【０００５】
又、特許文献１の容器では、ノズルの直ぐ下にある止帯を摘んで外方へ引っ張ることで弱化線を破断させなければならないのでノズルが邪魔になって操作がやり難いと同時に、仮に不正行為者によって破断線を破断させたとしても、破断の痕跡がノズルの陰になって目に入らないこともある。
【０００６】
又、特許文献２の容器では、カバー筒の不正引上げにより、縦溝の円形溝上部内へ嵌め込んだノズルが括れを経て抜け出さないようにするためには、カバー筒が所定の剛性を有する必要があるが、剛性が大き過ぎると円形溝上部内へのノズルの嵌め込みが困難となり、所要剛性を担保するためのカバー筒の材料及び肉厚の選択が難しい。
【０００７】
そこで本発明は、押下げヘッドを含む作動部材と容器体口頸部とからのカバー筒の抜け出しを確実に防止することができ、かつ操作が容易な縦型ポンプ容器を提供するため、装着筒及び作動部材上端部を長筒で囲み、該長筒下端の内方張出し部を口頸部の下部外面に付設した外向きフランジ下面へ係合させるとともに、ノズル38下方の縦溝一方側部から弱化線を介し突設した止帯先端を、縦溝他方側部へ離脱不能に固定させることを提案する。
【課題を解決するための手段】
【０００８】
第１の手段は、容器体口頸部８へ嵌合させた装着筒14を介して容器体２内へシリンダ20を垂下し、該シリンダ内から起立する作動部材30を付勢に抗し押し下げて該作動部材上部をシリンダ上端部へ固定させた縦型ポンプ容器において、
上記作動部材30上端部から前方突出するノズル38を、下面開口で上面閉塞の縦溝44へ挿通させて装着筒14及び作動部材30上端部を長筒42で囲み、該長筒下端の内方張出し部56を口頸部の下部外面に付設した外向きフランジ10へ係止させるとともに、ノズル38下方の縦溝一方側部から弱化線を介し突設した止帯46先端を、縦溝他方側部へ離脱不能に固定させている。
【０００９】
上記構成中、作動部材30上部は上記シリンダ上端部へ螺合させ、螺脱により上方に起立するように設けると良い。尚、上記シリンダ上端部は、シリンダ本体とは別体の作動部材の押下げ状態の保持部材（後述の保持筒）として形成しても良い。
【００１０】
又、「長筒」とは、少なくとも作動部材のノズル突出箇所から口頸部の外向きフランジ10設置箇所までの容器部分を囲成できる筒体をいうものとする。
【００１１】
更に「弱化線」は、例えば当該箇所を肉薄とすること、異材質同士の接合面とすることなど適宜の方法で形成することができる。
【００１２】
又、上記内方張出し部56は、少なくとも上記止帯46の先端部を長溝側部へ固定させた状態で上記外向きフランジ10の下面へ係止されるように設けると良い。更に又上記外向きフランジ10の上面及び内方張出し部56の下面のうち少なくとも一面は、長筒42装着の際の内方張出し部56による外向きフランジ10の強制乗り越えが可能に、外下方から内上方への傾斜面（円錐台面）に形成することができる。
【００１３】
第２の手段は、第１の手段を有し、かつ上記長筒42を可撓性材料で形成するとともに、該長筒42上端に開口する天窓62と該天窓に接近する縦溝44上端部との間に破断部54を設け、かつ該破断部近傍の天窓62縁部に把手64を付設している。
【００１４】
第３の手段は、第１の手段及び第２の手段を有し、かつ上記破断部54の左右両側の天窓62縁部のうち任意に定める引手方向寄りの縁部分に上記把手64を付設するとともに、上記止帯46の左右両端部のうち上記引手方向寄り端部に上記弱化線48を形成している。
【００１５】
第４の手段は、第１の手段、第２の手段、又は第３の手段を有し、かつ上記止帯46を上記縦溝44の下端部の左右両側部分の間に架設するとともに、該縦溝44の下部44ｃから括れ44ｂ、44ｂを介して左右に広がる縦溝上部44a内に上記ノズル38を嵌め込みしている。
【発明の効果】
【００１６】
第１の手段に係る発明は如上の構成であり、次の効果を有する。
○本願容器は、下面開口の縦溝44付き長筒42で作動部材30上端部等を囲み、該長筒のＣ字形下端部に付設した内方張出し部56を容器体口頸部８の下部の外向きフランジ10下面へ係合させたから、上記長筒42を無理に引き上げると、上記長筒42が拡開して、縦溝44両側部間に架設した弱化線48付き止帯46が切れるので、容器体口頸部８からの装着筒の不正抜出しの痕跡が確実に残る。
○長筒42は、縦溝44を拡開代として不正な引上げ操作で拡開して、脆弱な止帯46の弱化線48が切れるようにしたから、内方張出し部56を容器体外向きフランジ10下面へ係止させただけの簡易な仕組みでも十分に封緘機能が得られる。
○止帯46は、外向きフランジ10下面からの内方張出し部56抜止め手段と縦溝44からのノズル38抜止め手段とを兼ねるので２つの封緘機能を簡易な構造で実現できる。
【００１７】
第２の手段に係る発明によれば次の効果を奏する。
○可撓性材料で形成した長筒42上面の天窓62と天窓近くの縦溝44上端部との間に破断部54を設け、該破断部近傍の天窓62縁部に把手64を付したから、該把手を摘んで外方へ引く一動作で破断部54と弱化線48との破断及び外向きフランジ10下面からの内方張出し部56引出しの３つの操作を連続して行なうことができ、操作が簡単である。
○破断箇所としてノズル38の上下両側に破断部54と止帯弱化線48とを設けたから、例えば本願容器を利用者の目線に対して高低何れの商品陳列棚に配置したときでも上記破断部54乃至弱化線48の何れかの破断痕が利用者の目に入り、既述特許文献の容器の如くその痕跡がノズルの陰になって見逃す虞を回避することができる。
【００１８】
第３の手段に係る発明によれば、上記破断部54の左右両側の天窓62縁部のうち引手方向寄りの縁部分に上記把手64を付設し、かつ上記止帯46の左右両端部のうち上記引手方向寄り端部に上記弱化線48を形成させたから、上記破断部54及び弱化線48の破断及び外向きフランジ10下面からの内方張出し部56の抜き取りの操作がより容易となる。
【００１９】
第４の手段に係る発明によれば、次の効果を奏する。
○上記止帯46は、縦溝44下端部の左右両側下端部間に架設したから、長筒42下端部に付した内方張出し部56の外向きフランジ10下面からの不意の抜出しを防止できる。
○長筒42の取付けの際、上記縦溝上部44ａ内へノズル38をスナップ嵌合させたときに内方張出し部56上面と外向きフランジ10下面との高さがほぼ一致するように設けておくことで、これら両面を係合させることが簡単にできる。
○止帯46を縦溝下端部に設け、又縦溝下部44ｃから括れ44ｂ、44ｂを介して左右に拡開する縦溝上部44a内にノズル38を嵌め込むように設けたから、ノズルの真下に止帯を架設した既述特許文献１と異なりノズルが止帯の掛け止め作業の邪魔にならない。
○上記括れ44ｂ、44ｂは、ノズル38下面を係止しているが、既述特許文献２の容器の如く括れによりノズル付き押下げヘッドからの長筒相当部分（カバー筒）の抜出しを防止している訳ではないので、長筒42の剛性を大きく設定する必要がなく、長筒設計上の自由度が大であり、又ノズル38を縦溝上部44a内へ嵌め込みも容易である。
【発明を実施するための最良の形態】
【００２０】
本発明に係る液体噴出容器は、図２に示す如く容器体２と、縦型ポンプ12と、筒状カバー部材40とで構成されている。まず該構成のうち公知の部分を説明する。これら各部材はそれぞれ合成樹脂で成形することができる。
【００２１】
容器体２は、胴部４から肩部６を介して口頸部８を起立している。
【００２２】
縦型ポンプ12は、装着筒14と、シリンダ20と、作動部材30とで形成している。
【００２３】
上記装着筒14は、上記容器体口頸部８の外面に嵌合させた筒壁上端に付設した内向きフランジ16で、後述のシリンダ上部に有する鍔部を口頸部８上端面との間に挟持している。
【００２４】
上記シリンダ20は、本実施形態ではシリンダ本体20aと保持筒20bとで形成している。シリンダ本体20aは、上記容器体口頸部８上端面に載置した鍔部22を筒壁上部に付設して、該筒壁を容器体２内部へ垂設するとともに、筒壁上端部24を鍔部22上方へ延長している。      
【００２５】
又、保持筒20ｂは、上記シリンダ本体20a内面に嵌合させた内筒部26の上部から下外方へ外筒部を折り返し、該外筒部を上記シリンダ20aの上端部24外面へ嵌合させている。
【００２６】
作動部材30は、上記シリンダ本体20ａ内部から上方付勢させて起立するステム32と、該ステムの上端部に付設した押下げヘッド34とを具備している。押下げヘッド34は、その頂壁裏面から垂下する取付筒36の下端部内面へ、上記ステム32の上端部外面を嵌合するとともに、上記取付筒36の下端部外面を、上記保持筒20ｂの内筒部26内面へ螺着させることで、上記押下げヘッド34を上記付勢力に抗して最下位位置に固定させることができるように構成している。又、上記押下げヘッド34の前面からは前方開口のノズル38を突出している。
【００２７】
筒状カバー部材40は、上記押下げヘッド34及び装着筒14の各側面を覆う筒壁の前壁部分下端から同上端付近まで縦溝44を穿設するとともに、その筒壁上端から短フランジ状壁60を内方突出して、該短フランジ状壁内方に天窓62を開口させた形状に形成しており、上記縦溝44の上部44ａ内にノズル38を挿通させるように容器上部へ取り付けている。尚、図示の縦溝44は、上端巾狭のテーパ状溝下部44ｃと、該下部から括れ44b,44bを介して左右方向へ拡幅する丸形溝上部44ａとで形成している。
【００２８】
上記ノズル38下方の縦溝44部分左右両側部の間には弱化線（破断線）48付きの止帯46を架設する。該止帯46は上記ノズル下方長溝部分の左右両側部の一方から弱化線48を介して突出するとともに、止帯46先端部に付設した凸状係合手段50を、他方側部に設けた凹状係合手段52内へ離脱不能に嵌挿されて形成することができる。又、上記止帯46の先端部は、縦溝44他方側部の外面へ接着乃至溶着しても良い。
【００２９】
上記天窓62の前端部から上記縦溝44上端部に亘る部分は、破断部54に形成している。図示例の破断部は、上記天窓62前縁と上記縦溝44上縁との間に小孔を穿設し、該小孔を除く両縁間筒壁乃至短フランジ壁部分で形成している。
【００３０】
又、上記破断部54付近の天窓62縁部分には連結片64aを介して把手64を連結する。図示の把手64は、上記天窓62の縁部分から一定間隔を存して短フランジ状壁60とほぼ面一に形成してある。
【００３１】
本発明においては、上記容器体口頸部８を上下に長く設けて、その口頸部の外面上半部に上記装着筒14を嵌合させるとともに、口頸部８の外面下半部には、外向きフランジ10を周設している。
【００３２】
又、筒状カバー部材40の筒壁は、上記口頸部基部付近まで延長した長筒42に形成しており、該長筒の下端には、内方張出し部56を付設する。
【００３３】
この内方張出し部56は、図４に示す如く上記縦溝44穿設により横断面略Ｃ字形となった筒壁部分の下端部内面から内方突出している。
【００３４】
内方張出し部56の突出長は、上記止帯46の伸び易さ、弱化線48の強度、及び上記長筒42の硬さ乃至肉厚を考慮しながら、上記筒状カバー部材40を不正に引き上げたときに上記弱化線48が確実に切れるように設ける。
【００３５】
又、内方張出し部56の平面形状は、図示例では上記長筒22の下端部内面に沿ったC字形としている。しかし、例えば上記長筒22の下端部内面の周方向に間欠的に複数の内方張出し部を形成しても良い。
【００３６】
又、内方張出し部56の下面は、図示例では長筒42下端外縁から上内方へ傾斜する傾斜面（円錐台面）に形成しており、筒状カバー部材40を容器体口頸部８へ装着させる際に、上記内方張出し部56下面が上記外向きフランジ10の上面縁部に当接したときに、該縁部に対して内方張出し部56下面が側外方へ拡開して外向きフランジ10の強制乗り越えが容易となるように設けている。もっとも、図示例とは逆に、外向きフランジ10の上面を外縁から上内方へ傾斜する傾斜面（円錐台面）に形成しても良い。
【００３７】
次に本発明の縦溝44の構造について説明する。該縦溝は、上記長筒42の長さに対応して上下に長く形成してあり、丸形の溝上部44aに比べて溝下部44cを上下に細長い縦長台形状とし、下端から上方へ徐々に括れていくように形成している。
【００３８】
本願の縦溝44の括れ44bは、ノズル38を下方から嵌め込み溝上部44ａ内へスナップ嵌合させたときに図２に示す如く外向きフランジ10下面と内方張出し部56上面とが位置合わせできるように形成したものであり、例えば内方張出し部56が外向きフランジ10を乗り越える途中では固有のスナップ感がないので未だ内方張出し部56が適正位置にないことが明瞭である。上記縦溝44では括れ部分が長いので該部分を通ってノズルが通過できる程度に縦溝両側部分が撓み変形可能に形成する。尚、本願縦溝の括れは特許文献２のそれの如く封緘機能を目的とするものではなく、図示例の縦溝に代えて、括れのない一定巾の縦溝を形成しても良い。
【００３９】
又、本願の止帯46の弱化線48は、把手64の引手方向寄りの止帯46端部に、即ち、図示の如く把手の連結片64aが破断部54の左側にあれば止帯64左端部に、又破断部の右側にあれば止帯64右端部にそれぞれ形成するとよく、そうすることで把手64を介する引っ張り力がより効果的に弱化線48に伝わる。もっとも上記弱化線48を把手引手方向と反対の止帯端部に形成することもできない訳ではない。
【００４０】
本発明の筒状カバー部材40は伸び変形の少ない可撓性合成樹脂で形成することが望ましい。好適な素材の一例は、高密度ポリエチレンである。
【００４１】
以上の構成によれば、図１の状態から把手64を把持して上方に起立させ、該把手の連結片64ａに対して破断部54と反対向き上方へ引くと、まず図５に示す如く破断部54が破れ、更に把手を同じ方向へ引くと、長筒42が側外方へ撓んで止帯46の弱化線48部分に応力が集中して該弱化線が破断し、次に内方張出し部56が外向きフランジ10下面から引き抜かれ、筒状カバー部材40が容器本体２から除去される。この状態で、上記作動部材30の押下げヘッド34を回転すると保持筒20ｂから螺脱させると、押下げヘッド34がスプリングの付勢力により起立するので、この状態で押下げヘッドを押し下げて液体を取り出せばよい。
【００４２】
本願の筒状カバー部材40を容器体上部に取り付けるときには、図３に示す分解状態から、ノズル38上方に縦溝44の下端を位置合わせして、筒状カバー部材40を下方へ押し下げると、ノズル38が縦溝下部44ｃに入り、括れ44bを介して縦溝上部44ａ内へ嵌め込まれ、これと同時に内方張出し部56が外向きフランジ10上面に当接すると、縦溝44を拡開代として長筒42が拡開し、上記内方張出し部56が外向きフランジ10下面へ係止される。この状態で止帯46の凸状係合手段50を凹状係合手段52内に嵌め込むことで長筒42下端部が緊縛され、上記外向きフランジ10下面への内方張出し部56の係止状態がロックされる。
【図面の簡単な説明】
【００４３】
【図１】本発明に係る縦型ポンプ容器の斜視図である。
【図２】図１容器の縦縦断面図である。
【図３】図１容器の分解斜視図である。
【図４】図３のIV−IV線方向に見た図１容器の要部下面図である。
【図５】図１容器の取り外し状態を示す斜視図である。
【符号の説明】
【００４４】
２…容器体  ４…胴部  ６…肩部  ８…口頸部    10…外向きフランジ
12…縦型ポンプ  14…装着筒  16…内向きフランジ
20…シリンダ  20a…シリンダ本体20a…保持筒  22…鍔部  24…筒壁上端部
26…内筒部
30…作動部材  32…ステム  34…押下げヘッド  36…取付筒  38…ノズル
40…筒状カバー部材  42…長筒  44…縦溝  44a…縦溝上部  44b…括れ
44c…縦溝下部  46…止帯  48…弱化線  50…凸状係合手段  52…凹状係合手段
54…破断部  56…内方張出し部  60…短フランジ状壁  62…天窓  64…把手
64a…連結片
【図１】
2005313957.tif 000003
【図２】
2005313957.tif 000004
【図３】
2005313957.tif 000005
【図４】
2005313957.tif 000006
【図５】
2005313957.tif 000007